(57)【要約】【課題】  作業員が建物の床面からの操作で直管状の蛍光灯を交換することができるような交換器具を提供することを目的とする。【解決手段】  直管状蛍光管１０であって、両端に前記蛍光灯に給電するための電極が設けられた蛍光灯を交換するための交換器具において、前記直管状蛍光管のほぼ中央部を回転可能に抱持する抱持手段２２、前記抱持手段の両側で前記直管状蛍光管に当接して該蛍光管の軸を中心にして自転させる回転手段２３、この回転手段を前記蛍光管に対して当接、離間させる昇降手段２４を有する蛍光管操作機２０と、内部に前記空圧昇降手段に連通した気密室を有する伸縮可能なポールであって、一端に前記蛍光管操作機を搭載し、他端に前記気密室への給気を行う給気手段および前記気密室の開閉を行う開閉弁３１を有する伸縮ポール３０と、をそなえたことを特徴とする蛍光灯交換器具。【選択図】  図３
2006236945.tif 000002
【特許請求の範囲】
【請求項１】
直管状蛍光管であって、両端に前記蛍光灯に給電するための電極が設けられた蛍光灯を交換するための交換器具において、
前記直管状蛍光管のほぼ中央部を回転可能に抱持する抱持手段、前記抱持手段の両側で前記直管状蛍光管に当接して該蛍光管の軸を中心にして自転させる
回転手段、前記回転手段を前記蛍光管に対して当接、離間させる空圧昇降手段を有する蛍光管操作機と、
内部に前記空圧昇降手段に連通した気密室を有する伸縮可能なポールであって、一端に前記蛍光管操作機を搭載し、他端に前記気密室への給気を行う給気手段および該気密室の開閉を行う開閉弁を有する伸縮ポールと、
をそなえたことを特徴とする蛍光灯交換器具。
【請求項２】
請求項1記載の蛍光灯交換器具において、
前記抱持手段および前記回転手段は、電気モータにより駆動され、前記昇降手段は空圧アクチュエータにより駆動させることを特徴とする蛍光灯交換器具。
【請求項３】
請求項２記載の蛍光灯交換器具において、
前記空圧アクチュエータは、可撓性材料により構成され全体形状が円盤型で内部に空気室を有し、かつ一端面にリング状の窪みを挟んだ複数個のリング面を有することを特徴する蛍光灯交換器具。
【請求項４】
請求項1記載の蛍光灯交換器具において、
前記蛍光管操作機は、前記抱持手段、前記回転手段および前記昇降手段に出力を与える受信機を有し、前記受信機に無線信号を伝送することにより前記蛍光管操作機における各手段を動作させることを特徴とする蛍光灯交換器具。
【発明の詳細な説明】
【技術分野】
【０００１】
本発明は、建物の天井等に設置された蛍光灯を床面からの操作で交換するための交換器具に係わり、とくに直管状蛍光灯の交換を行うための器具に関する。
【背景技術】
【０００２】
室内照明に汎用されている蛍光灯を交換するには、交換器具を用いることが多くなっている。ただし、蛍光灯は、その形状および装着構造が種々であり、種々の交換器具が提供されている（特許文献１ないし３）。
【特許文献１】特開平11-307043号公報
【特許文献２】特開平11-307044号公報
【特許文献３】特開平11-307045号公報
【発明の開示】
【発明が解決しようとする課題】
【０００３】
各種蛍光灯中で直管状の蛍光灯は、その長さと管を軸方向を中心にして捻らないと脱着できない構造とにより、床面からの操作で行うことは困難とされている。
【０００４】
本発明は、上述の点を考慮してなされたもので、作業員が建物の床面からの操作で直管状の蛍光灯を交換することができるような交換器具を提供することを目的とする。
【課題を解決するための手段】
【０００５】
上記目的達成のため、本発明では、
直管状蛍光管であって、両端に前記蛍光灯に給電するための電極が設けられた蛍光灯を交換するための交換器具において、
前記直管状蛍光管のほぼ中央部を回転可能に抱持する抱持手段、前記抱持手段の両側で前記直管状蛍光管に当接して該蛍光管の軸を中心にして自転させる
回転手段、前記回転手段を前記蛍光管に対して当接、離間させる空圧昇降手段を有する蛍光管操作機と、
内部に前記空圧昇降手段に連通した気密室を有する伸縮可能なポールであって、一端に前記蛍光管操作機を搭載し、他端に前記気密室への給気を行う給気手段および該気密室の開閉を行う開閉弁を有する伸縮ポールと、
をそなえたことを特徴とする蛍光灯交換器具、
を提供するものである。
【発明の効果】
【０００６】
本発明は上述のように、伸縮式ポールの一端に、直管状蛍光灯を抱持して回転させる蛍光灯操作機を取り付けたため、天井面のような高所に取り付けられた蛍光灯を床面から交換操作することができる。
【発明を実施するための最良の形態】
【０００７】
以下、添付図面を参照して本発明の実施例を説明する。  
【実施例１】
【０００８】
図１(a)，(b)は、本発明が対象とする直管状蛍光灯１０の構造、およびこの蛍光灯１０が装着されるソケットの構造を示した斜視図である。まず図１(a)は、図1における直管状蛍光灯１０の全体形状を示しており、直管状の発光部１１と、その両端の電極部１２とを有し、ソケットの溝に沿って径方向に電極を挿入してから、蛍光灯をその軸を中心に捻るようにソケットの回転部とともに回転させて装着するものである。
【０００９】
そして、図１(b)は、直管状蛍光灯１０を取り付ける照明器具１００を示している。照明器具１００は、この場合、蛍光灯１０を２本取り付けることができるものであり、そのほぼ両端位置にソケット１０２が設けられている。
【００１０】
図２(a),(b)は、図1に示したソケット１０２の詳細構造を示している。このソケットは、照明器具１００（図１）に固定される本体１０２ａと、この本体１０２ａの中央部に配される回動部１０２ｂとを主たる構成要素とする。そして、本体１０２ａはほぼ馬蹄形をしており、馬蹄の開口部が蛍光灯の電極をソケットの径方向に通過させる溝１０２ｃであり、回動部１０２ｂにはこの溝と連通し得る溝が設けられている。
【００１１】
本体１０２ａには、その中央部に回動部１０２ｂを内側から支持する支持部材１０２ｄが設けられており、回動部１０２ｂの回動を円滑化する。また、回動部１０２ｂには、その溝内に一対の電極１０２ｅが設けられており、回動部１０２ｂを図２(a)の状態から９０度回動して図２(b)の状態にすると、電極１０２ｅがソケット内の図示しない弾性要素により押し出されて蛍光灯の電極に接触し、給電し得るようになる。
【００１２】
蛍光灯の脱着時には、図２(a)に示すように、本体１０２ａの溝１０２ｃと回動部１０２ｂの溝とを整列させて電極を通し、次いで蛍光灯を軸を中心にして捻るように回転させると、図２(b)の状態になって蛍光灯がソケットに確実に保持された状態となる。
【００１３】
図３は、本発明の実施例１の全体構成を示す斜視図であり、この状態は、寿命前後の直管状蛍光灯１０を天井面等から取り外して床面近くまで引き降ろした直後の状態、あるいは交換すべき新しい直管状蛍光灯１０をこれから天井面に持ち上げて装着する直前の状態を示している。
【００１４】
このとき、直管状蛍光灯１０は、交換機２０の筐体２１の頂部に載置され、かつ抱持手段２２によって保持されている。筐体２１は、伸縮性のポール３０の一端、つまり頂部に固定されており、締め付けナットを1段ずつ締め付けてポール３０を伸ばすことにより、天井面まで蛍光灯１０を持ち上げることができる。そのため、ポール３０は数メートルの高さまで伸ばせるものとする。
【００１５】
ポール３０は、例えば6段式の締め付けナットにより固定する伸縮構造であり、内部にコイル状のチューブが通してある。そして、チューブは、ポール３０に設けられた弁３１、圧力計３２、および筐体２１の内部の空圧アクチュエータ（後述）に連通している。
【００１６】
筐体２１内の要素については後述するが、蛍光灯１０を抱持、解放する抱持手段、蛍光灯を回転させる回転手段、および回転手段を蛍光灯の面に当接させたり、離間させたりする昇降手段が収容されている。抱持手段および回転手段は電動式のモータで駆動される。また、昇降手段は空圧式であり、筐体２１内に組み込まれたポンプにより給気され、ポール３０に設けられた弁３１の開放により排気されて伸縮する。
【００１７】
抱持手段、回転手段および昇降手段の作動をコントロールするために、筐体２１内には受信機５１が設けられ、受信機５１に無線信号を送るためにリモコン５２が用意されている。
【００１８】
図４は、蛍光灯操作機２０の筐体２１内に収容された各要素を示したものである。蛍光灯１０は、抱持手段２２に抱持され、かつ回転手段２３が昇降手段２４によって蛍光灯１０に当接する位置まで持ち上げられている。これにより、蛍光灯１０は、回転手段２３により回転作用が与えられ得る状態となっている。
【００１９】
回転手段２３による回転作用は、モータＭ２の駆動力が枠２５に支持された歯車２６を介して伝達されることにより与えられる。また、抱持手段２２による蛍光灯１０の抱持、解放は、モータＭ１の駆動力が伝達されて行われる。そして、回転手段２３は、昇降手段２４の空圧アクチュエータにポンプＰから給気されて膨張することにより上昇し、ポール３０（図３）に設けられた弁３１を開くことにより排気されて収縮することにより下降する。
【００２０】
抱持手段２２、回転手段２３および昇降手段２４の各作動は、受信機５１がリモコン５２から受信した無線信号に基づき、押え駆動モータ回路４１によるモータＭ１の、回転モータ回路４２によるモータＭ２の、またポンプ回路４３によるポンプＰの制御により行われる。
【００２１】
図５は、図４に示した機構のうち、抱持手段２２および回転手段２３の構造を示している。図５では、図示の都合上、実際とは異なって抱持手段２２と回転手段２３とは上下方向に位置がずれて描かれている。
【００２２】
抱持手段２２は、半円弧状に成形された板材の樹脂で構成されてなる回動部材２２ａが、この回動部材２２ａの両側部に設けられた支持部材２２ｂに形成され、回動部材２２ｂの両側縁を支持する円弧溝２２ｃに係合しており、この円弧溝２２ｃに沿って移動可能に支持された構成となっている。そして、回動部材２２ａの外周面中央にはギア部が形成されており、モータＭ１に連結されたギアと噛み合って回動部材２２ａに回動力を伝達する。
【００２３】
抱持手段２２に厚さの少ない回動部材２２ａを用いる構成としたのは、蛍光灯の背後の笠との間の隙間が狭く、厚さの小さなものしか挿入できないためである。
【００２４】
一方、回転手段２３は、一対のゴムリングの各端面に設けられたギアをモータＭ２に連結された１個のギアで駆動するもので、一対のゴムリング相互間にが形成されるＶ字溝状の空間に蛍光灯が入り込んでゴムリングから回転力を与えられる。
【００２５】
図６は、図５に示した抱持手段２２および回転手段２３に昇降手段２４を組み合わせた状態を側面から見たものである。昇降手段２４は、ポンプＰから空圧アクチュエータに給気されることにより上方向に膨張して枠２５を押し上げる。この結果、枠２５に支持されている回転手段２３が蛍光灯１０の周面に押し付けられてゴムリングの回転力を蛍光灯に伝達することができる。
【００２６】
その後、弁３１を開くと排気されて空圧アクチュエータが収縮し、枠２５が下降するから回転手段２３は蛍光灯１０の周面から離間する。
【００２７】
図７(a)，(b)は、空圧アクチュエータの詳細構造を示したものである。空圧アクチュエータは、図７(a)に示すように、平面形状が溝部を持った２重リング状で、側断面形状が中央および両側部に凸部２４ａ，２４ｂを有する山字状の空間を持ったゴム製中空体である。
【００２８】
この中空体は、空気穴２４ｃを介して給気、排気が行われることにより内部空間の容積が変化し、それに応じて膨張、収縮する。図７(b)は自然に排気した状態でいわば収縮したときであり、給気するととくに中央部分が膨らんで想像線で示す状態まで膨張する。この作用を利用して回転手段２３を昇降させる。
【他の実施例】
【００２９】
回転手段２３は、２対のゴムリングを駆動しているが、一部のゴムリングだけを駆動することとし、他は従動させてもよい。
【図面の簡単な説明】
【００３０】
【図１】図１(a)，(b)は本発明の対象とする蛍光灯およびその照明器具を示す斜視図。
【図２】図２(a)，(b)は、本発明の対象とする蛍光灯用のソケットを示す斜視図。
【図３】本発明の一実施例の構成を示す説明図。
【図４】本発明の一実施例の内部構造を示す説明図。
【図５】図４に示した構造の要部を拡大して示した説明図。
【図６】図４に示した構造の要部側面図。
【図７】図７(a)，(b)は、図４に示した構造に用いる空圧アクチュエータの構造を示す一部破断説明図および側断面図。
【符号の説明】
【００３１】
１０  蛍光灯、２０  蛍光灯操作機、２１  筐体、２２  抱持手段、
２２ａ  回動部材、２２ｂ  支持部材、２２ｃ  円弧溝、２３  回転手段、
２４  昇降手段、２５  枠、２６  ギア、３０  ポール、３１  弁、
３２  圧力計、４１  押え駆動モータ回路、４２  回転モータ回路、
４３  ポンプ回路、５１  受信機、５２  リモコン、１００  照明器具、
１０１  笠、１０２  ソケット、Ｍ  モータ、Ｐ  ポンプ。
【図１】
2006236945.tif 000003
【図２】
2006236945.tif 000004
【図３】
2006236945.tif 000005
【図４】
2006236945.tif 000006
【図５】
2006236945.tif 000007
【図６】
2006236945.tif 000008
【図７】
2006236945.tif 000009